(57)【要約】【課題】  原稿の搬送により発生した摩擦静電気により原稿間の反発、吸着が起こるのを防止するために原稿スタックトレー上部（原稿セットトレー下面）に除電部材を設ける原稿トレーを提供する。  【解決手段】  原稿反転式のシート原稿読み取り装置の原稿トレーにおいて、原稿セットトレー１１と排紙スタックトレー１２との間に除電手段６を設けた。【選択図】        図２
2005075493.tif 000002
【特許請求の範囲】
【請求項１】
原稿反転式のシート原稿読み取り装置の原稿トレーにおいて、
原稿セットトレーと、その下方に配置された排紙スタックトレーとの間に除電手段を設けたことを特徴とする原稿トレー。
【請求項２】
前記除電手段は、前記排紙スタックトレーの上部の前記原稿セットトレーの底面に、前記排紙スタックトレー側に向けて設けられた除電部材であることを特徴とする請求項１記載の原稿トレー。
【請求項３】
前記原稿セットトレーと前記排紙スタックトレーの間に導通部材を設けたことを特徴とする請求項１または２記載の原稿トレー。
【請求項４】
請求項１ないし３のいずれか１項記載の原稿トレーを備えたことを特徴とする原稿反転式のシート原稿読み取り装置。
【発明の詳細な説明】
【技術分野】
【０００１】
本発明は、原稿反転式シート原稿読み取り装置における原稿セットトレーおよびスタッキング用トレー上の原稿およびトレーの除電を行なう原稿トレーおよびこれを備えた原稿反転式のシート原稿読み取り装置に関するものである。
【背景技術】
【０００２】
シート原稿を搬送して読み取りを行うことができる原稿反転式シート原稿読み取り装置においては、読み取りを行なって排紙される原稿に摩擦静電気が発生することが知られている。
【発明の開示】
【発明が解決しようとする課題】
【０００３】
シート原稿を搬送して読み取りを行うことができる原稿反転式シート原稿読み取り装置において、排紙原稿に発生する摩擦静電気量は、セット時の原稿帯電量、湿度、原稿紙種、原稿の描画材種類、そして搬送速度によって非常にバラツキがある。
このような原稿反転式シート原稿読み取り装置において上記種々のパラメータが最悪条件側に振られた場合、原稿排紙口に設けられた除電ブラシの性能だけでは、排紙された原稿の除電を完全に行えない場合がある。
図４は一般的な原稿反転式のシート原稿読み取り装置の上部を示す概略斜視図である。図においてスキャナユニットカバー１０の前方に原稿セットトレー１１が配置され、その下に原稿排紙トレー（スタックトレー）１２が配置されている。
原稿反転式のシート原稿読み取り装置において、図４のように原稿セットトレー１１は上側に、スタックトレー１２はその下側に配置されるため、セット原稿とスタック原稿の距離が近くなり、双方の原稿自体の帯電量によっては、お互いにその影響を受けやすい。
仮に、数ＫＶに高帯電した原稿が原稿セットトレー１１にセットされた場合、排紙される原稿が排紙口の除電ブラシによって低電位に除電されたとしても、上部セット原稿の電位の影響を受けてしまうため、排紙原稿が原稿セットトレー１１の底面に張り付いたり、浮きあがったりするような不良が発生し、その結果スタック順序性や、落下等の不良を引き起こす。
また、読み取り終了後に排紙口から排紙された原稿は、原稿セットトレー１１下のスタックトレー１２上にスタッキングされる。このとき条件として、原稿の落下や順序性等のスタッキング不良がないようにスタックトレー１２上にスタッキングされなければいけないが、原稿の搬送により発生した摩擦静電気により原稿間の反発、吸着が起こり、スタック不良が発生しやすい。
そこで本発明の目的は、上記の問題点を解決するために、原稿の搬送により発生した摩擦静電気により原稿間の反発、吸着が起こるのを防止するために原稿スタックトレー上部（原稿セットトレー下面）に除電部材を設ける原稿トレーおよびこれを備えた原稿反転式のシート原稿読み取り装置を提供することにある。
【課題を解決するための手段】
【０００４】
前記の課題を解決するために、請求項１記載の発明では、原稿反転式のシート原稿読み取り装置の原稿トレーにおいて、原稿セットトレーと排紙スタックトレーとの間に除電手段を設けた原稿トレーを最も主要な特徴とする。
請求項２記載の発明では、前記除電手段が前記排紙スタックトレーの上部の前記原稿セットトレーの底面に、前記排紙スタックトレー側に向けて設けられた除電部材である請求項１記載の原稿トレーを主要な特徴とする。
請求項３記載の発明では、前記原稿セットトレーと前記排紙スタックトレーの間に導通部材（ＧＮＤ面）を設けた請求項１または２記載の原稿トレーを主要な特徴とする。
請求項４記載の発明では、請求項１ないし３のいずれか１項記載の原稿トレーを備えた原稿反転式のシート原稿読み取り装置を最も主要な特徴とする。
【発明の効果】
【０００５】
請求項１によれば、原稿スタックトレーと排紙スタックトレーとの間に除電手段を設けるので、排紙原稿の除電が完全に行われ、スタッキングの不良が防止できる。
請求項２によれば、原稿排紙口から排出される原稿の除電が、原稿排紙口の除電ブラシでは十分に行えないとき、排紙スタック上面（原稿スタック下面）に新たに除電部材を設けることにより、排紙原稿の除電が完全に行われ、スタッキングの不良が防止できる。
請求項３によれば、原稿排紙口から排出される原稿の除電が、原稿排紙口の除電ブラシでは十分でないとき、排紙スタック上面（原稿スタック下面）に新たに導通部材を設けることにより、排紙原稿の除電が完全に行われ、スタッキングの不良が防止できる。
請求項４によれば、除電手段を設けるので、排紙原稿の除電が完全に行われ、スタッキングの不良が防止できる原稿反転式のシート原稿読み取り装置を提供することができる。
【発明を実施するための最良の形態】
【０００６】
以下、図面を参照して、本発明の実施形態を詳細に説明する。図１は本発明による原稿トレーを使用するファクシミリ装置の構成を示す概略図である。図１において、原稿セットトレー１１上から原稿セット口１４へ供給された原稿はコンタクトガラス９上を通りこのとき読み取り用密着センサ８によって読み取られ、原稿排出口７から原稿排紙トレー（排紙スタックトレー）１２に排紙される。
読み取られた画像は感光体５で潜像化され、この潜像は記録紙カセット１から送られた記録紙上に転写され現像ユニット２で現像され、定着ユニット３で画像定着されて記録紙排出口４へ排出される。
シート原稿を搬送して読み取りを行うことができる原稿反転式シート原稿読み取り装置において、読み取り終了後に原稿排紙口７から排紙された原稿は、原稿セットトレー１１下の排紙スタックトレー１２上にスタッキングされる。
そのために原稿排紙口７に静電気除電用の除電ブラシまたは除電布を設け、排紙される原稿の静電気除電を行っている。しかし、排紙原稿に発生する摩擦静電気量は、セット時の原稿帯電量、湿度、原稿紙種、原稿の描画材種類、そして搬送速度によって非常にバラツキがある。
したがって、最悪条件側に振られた場合、原稿排紙口７に設けられた除電ブラシ（図示せず）の性能だけでは、排紙された原稿の除電を完全に行えない場合がある。そこで、本発明では排紙スタックトレー１２上部（原稿セットトレー１１下面）に除電部材を設けることを提案する。
【０００７】
図２は本発明による除電部材の実施の形態を示す概略図である。図２の除電部材６の構成は簡単で、原稿排紙口７から排出された原稿は矢印の軌跡をたどって排紙スタックトレー１２上にスタックするが、そのときの原稿搬送軌跡の近傍に除電部材６を設ければよい。除電部材６は、例えば弾性、柔軟性を有した金属等から成る板状部材にて構成し、原稿セットトレー１１の下面その他の適所に一端を固定し、他端を原稿排紙口７から排出される原稿と接触するように構成する。
このとき、一般的に除電部材６は自己放電機能を持っているが、除電部材６からアースを取っておくと効果的である。除電布や除電ブラシは接触しなくても効果は期待できるが、ちょうど原稿が原稿セットトレー１１下面に近づく辺りに配置するのが最も効果が期待できる。
スタックの条件としては上記と同じであるが、原稿セットトレー１１にセットされた原稿が高帯電した場合、原稿排出口７から排出された原稿は静電気により原稿セットトレー１１側に引っ張られ張り付く現象が発生する。
この対策として原稿セット側と排出スタック側の間にＧＮＤ導通面を設け、原稿セットトレー１１および排紙スタックトレー１２の静電気帯電量の影響を遮断する方法を考える。
図３は原稿セットトレーおよび排紙スタックトレーの間の導通部材を示す概略図である。通常、原稿セットトレー１１は、外観、機能的な問題からプラスチック部品で作られるため、導通部材（ＧＮＤ面）１３を設ける一番簡単な方法は原稿セットトレー１１自体を金属にすることである。
しかしながら、他の方法としても原稿セットトレー１１の裏面を導電塗装処理するとか、導電シートを貼付する等の方法が考えられる。また、導通部材１３は、本体ＧＮＤに導通していることが望ましいが、導通していなくとも効果が期待できる。
【産業上の利用可能性】
【０００８】
本発明の利用可能性として、原稿反転式シート原稿読み取り装置における原稿セットトレーおよびスタッキング用トレー上の原稿およびトレーの除電を行なう原稿トレーおよびこれを備えた原稿反転式のシート原稿読み取り装置が挙げられる。
【図面の簡単な説明】
【０００９】
【図１】本発明による原稿トレーを使用するファクシミリ装置の構成を示す概略図。
【図２】本発明による除電部材の実施の形態を示す概略図。
【図３】原稿セットトレーおよびスタックトレーの間の導通面を示す概略図。
【図４】一般的な原稿反転式のシート原稿読み取り装置の上部を示す概略斜視図。
【符号の説明】
【００１０】
６  除電手段（除電部材）
７  原稿排紙口
１１  原稿セットトレー
１２  スタックトレー（原稿排紙トレー）
１３  導通部材（ＧＮＤ面）
１４  原稿セット口
【図１】
2005075493.tif 000003
【図２】
2005075493.tif 000004
【図３】
2005075493.tif 000005
【図４】
2005075493.tif 000006